(57)【特許請求の範囲】
【請求項１】
入力データを用いて複数の機能を実行可能な実行手段を備えた画像処理装置において、
前記実行手段によって原稿をスキャンするスキャン処理を要する第１機能が実行されることにより取得されるスキャンデータを出力する機能である第２機能を、前記第１機能に対応付けて記憶する第１記憶手段と、
前記実行手段による前記第１機能の実行中に、前記第１記憶手段に記憶されている第１機能と第２機能との対応関係に基づいて、第２機能の実行指示をユーザの入力操作により受け付ける受付手段と、を備え、
前記実行手段は、前記第１機能の実行が終了した後に前記第１機能により取得されたスキャンデータを用いて前記受付手段により受け付けられた前記第２機能を実行することを特徴とする画像処理装置。
【請求項２】
前記実行手段による前記第１機能の実行が完了すると、該第１機能の実行により前記スキャンデータを消去する消去手段を有するものであり、
前記受付手段により第２機能が受け付けられた場合には、前記第２機能が用いる前記スキャンデータの前記消去手段による消去を禁止する禁止手段を備えることを特徴とする請求項１に記載の画像処理装置。
【請求項３】
前記受付手段によって受け付けられた前記第２機能を記憶する第２記憶手段を備え、
前記第２記憶手段は、前記スキャンデータを識別するための入力データ識別情報に対応させて前記第２機能を記憶することを特徴とする請求項１または請求項２に記載の画像処理装置。
【請求項４】
前記受付手段によって受け付けられた第２機能を実行するための実行条件を設定する設定手段を備え、
前記第２記憶手段は、前記第２機能に対応させて、前記設定手段によって設定された実行条件を記憶することを特徴とする請求項３に記載の画像処理装置。
【請求項５】
前記第２記憶手段に記憶された前記第２機能を取り消す取消手段を備えることを特徴とする請求項３または請求項４に記載の画像処理装置。
【請求項６】
タッチパネル形式の表示手段と、
前記表示手段の表示制御を行う表示制御手段と、備え、
前記表示制御手段は、前記第１機能の実行中に、前記受付手段を起動させるための操作部を前記表示手段に表示させ、
前記表示手段に表示された前記操作部に対するユーザの操作を検出する検出手段を備え、
前記検出手段により、前記操作部に対する操作が検出されたことを条件として、前記受付手段は、前記第２機能の実行指示を受け付けることを特徴とする請求項１ないし請求項５のいずれか１項に記載の画像処理装置。
【請求項７】
前記表示制御手段は、前記第１機能の実行中に、前記表示手段に、該第１機能の進行状況を表示させることを特徴とする請求項６に記載の画像処理装置。
【発明の詳細な説明】
【技術分野】
【０００１】
この発明は、複数の機能を実行可能な画像処理装置に関する。
【背景技術】
【０００２】
例えば、特許文献１には、画像形成装置の操作部におけるユーザの単純な操作指示により、画像読取り部での一度の画像データの読込みによって、その画像データを用いて複数の機能を実行することが可能な画像形成装置が開示されている。
【０００３】
特許文献１の画像形成装置においては、操作部に、例えば二つの機能を実行するための操作キーが設けられている。特許文献１の画像形成装置によれば、操作キーに二つの機能を割り付けておくことで、ユーザが操作キーを押下するという単純な操作により、画像読取り部での一度の画像読込みによって、その操作キーに割り付けられた二つの機能を実行することができる。
【特許文献１】特開２００６−４１８９０号公報
【発明の開示】
【発明が解決しようとする課題】
【０００４】
上記の画像形成装置においては、例えば、「スキャナ＋コピーモードキー」や「ＦＡＸ＋スキャナ＋コピーモードキー」のように、予め決められた二つ以上の機能を連続して実行させる操作キーが設けられていた。
【０００５】
このため、ユーザが、上記操作キーに割り付けられた機能とは別の組み合わせで複数の機能を連続させて実行させたいと考える場合や、予め決められた二つ以上の機能に続き他の機能を連続して実行させたいと考える場合であっても、ユーザは、操作キーに他の機能を追加することができなかった。
【０００６】
そこで、ユーザが希望する機能を実行させるために、複数の操作キーを個別に操作しなければならなかった。
【０００７】
この発明は、このような状況に鑑み提案されたものであって、一度入力されたデータを用いて実行する機能を、ユーザの操作を介して受け付けることができ、ユーザの所望とする機能をさらに追加して実行することができる画像処理装置を提供することを目的とする。
【課題を解決するための手段】
【０００８】
請求項１の発明に係る画像処理装置は、入力データを用いて複数の機能を実行可能な実行手段を備えた画像処理装置において、前記実行手段によって第１機能が実行されることにより入力される入力データを用いて実行される第２機能を、前記第１機能に対応付けて記憶する第１記憶手段と、前記実行手段による前記第１機能の実行中に、前記第１記憶手段に記憶されている第１機能と第２機能との対応関係に基づいて、第２機能の実行指示をユーザの入力操作により受け付ける受付手段と、を備え、前記実行手段は、前記第１機能の実行が終了した後に前記受付手段により受け付けられた前記第２機能を実行することを特徴とする。
【０００９】
請求項２の発明は、請求項１において、前記受付手段によって受け付けられた前記第２機能を記憶する第２記憶手段を備え、前記第２記憶手段は、前記入力データを識別するための入力データ識別情報に対応させて前記第２機能を記憶することを特徴とする。
【００１０】
請求項３の発明は、請求項２において、前記受付手段によって受け付けられた第２機能を実行するための実行条件を設定する設定手段を備え、前記第２記憶手段は、前記第２機能に対応させて、前記設定手段によって設定された実行条件を記憶することを特徴とする。
【００１１】
請求項４の発明は、請求項１ないし請求項３のいずれか１項において、前記実行手段による前記第１機能の実行が完了すると、該第１機能の実行により前記入力データを消去する消去手段を有するものであり、前記受付手段により第２機能が受け付けられた場合には、前記第２機能が用いる前記入力データの前記消去手段による消去を禁止する禁止手段を備えることを特徴とする。
【００１２】
請求項５の発明は、請求項２ないし請求項４のいずれか１項において、前記第２記憶手段に記憶された前記第２機能を取り消す取消手段を備えることを特徴とする。
【００１３】
請求項６の発明は、請求項１ないし請求項５のいずれか１項において、タッチパネル形式の表示手段と、前記第１機能の実行中に、前記受付手段を起動させるための操作部を前記表示手段に表示させる表示制御手段と、前記表示手段に表示された前記操作部に対するユーザの操作を検出する検出手段と、を備え、前記検出手段により、前記操作部に対する操作が検出されたことを条件として、前記受付手段は、前記第２機能の実行指示を受け付けることを特徴とする。
【００１４】
請求項７の発明は、請求項１ないし請求項６のいずれか１項において、前記第１機能の実行中に、前記表示手段に、該第１機能の進行状況を表示する進行状況表示手段を備えることを特徴とする。
【発明の効果】
【００１５】
請求項１の発明に係る画像処理装置によれば、実行手段による第１機能の実行中に、第１記憶手段に記憶されている第１機能と第２機能との対応関係に基づいて、第２機能の実行指示をユーザの入力操作により受け付ける。
そこで、受付手段によって、第１機能において用いられる入力データに対し、ユーザの操作に基づいて入力された第２機能の実行指示を受け付けるため、同じ入力データを、再度読み込むことを必要としない。従って、ユーザの所望とする一度入力されたデータを用いて実行する機能を受け付けることができる。
また、請求項１の発明に係る画像処理装置によれば、実行手段は、第１機能の実行が終了した後に受付手段によって受け付けられた第２機能を実行する。
そこで、実行手段によって、第１機能の実行に引き続き第２機能を実行するため、ユーザの所望とする機能を、一度入力されたデータを用いて実行する機能として追加して実行することができる。
【００１６】
請求項２の発明によれば、第２記憶手段は、入力データを識別する入力データ識別情報に対応させて、受付手段によって受け付けられた第２機能を記憶する。
したがって、入力データ識別情報に対応させて、第２記憶手段が、第２機能を記憶すると、一の入力データを対象とした第１機能の実行が終了した後に、前記第２記憶手段の記憶内容に基づいて、該一の入力データに対し、第２機能を実行させることが可能となる。
【００１７】
請求項３の発明によれば、第２記憶手段は、第２機能に対応させて、前記実行条件を記憶する。これにより、設定手段により、受付手段によって受け付けられた第２機能を実行するための実行条件を設定すると、第２機能の受け付けと共に、すみやかに、第２機能の実行条件を設定することができる。
そして、第２機能を実行する際には、前記実行条件に基づいた機能を開始させるように設定することができる。
【００１８】
請求項４の発明によれば、第２機能が受け付けられている場合、禁止手段によって、第２機能に用いられる入力データの消去を禁止することができる。
そこで、入力データが消去されないので、第２機能を実行するために、第１機能により用いられた入力データと同一の入力データを、再度入力させる手間を省くことができる。
【００１９】
請求項５の発明によれば、取消手段によって、第２記憶手段に記憶された第２機能を取り消すことができる。
そこで、受付手段により誤って第２機能が受け付けられた場合であっても、取消手段によって、誤って受け付けられた第２機能を取り消すことができる。
【００２０】
請求項６の発明によれば、表示手段は、第１機能の実行中に受付手段を起動させるための操作部を表示し、検出手段が、前記操作部に対する操作を検出したことを条件として、受付手段は、第２機能の実行指示を受け付けている。
そこで、第１機能の実行中に、表示手段に前記操作部を表示すると共に、検出手段による前記操作部に対するユーザの操作を検出するため、ユーザは、第２機能の実行指示をするための操作部を容易に確認することができ、第２機能の実行指示の操作を速やかに行うことができる。
【００２１】
請求項７の発明によれば、第１機能の実行中に、表示手段は、第１機能の進行状況を表示する。
そこで、表示手段には、第１機能の進行状況が表示されるため、ユーザは第１機能の進行状況を確認しながら、第２機能の実行指示を行うことが可能となる。
【発明を実施するための最良の形態】
【００２２】
＜第１の実施形態＞
本発明の画像処理装置を複合機に適用した第１の実施形態について、添付図面を参照して説明する。一般には、複合機は、プリンタ機能、スキャナ機能、コピー機能およびファクシミリ機能を備えたものが多いが、これらの全ての機能を備えている必要はない。複合機１が実行可能な各機能にはそれぞれ動作が含まれている。例えばファクシミリ機能には、ファクシミリ送信動作やファクシミリ受信動作などが含まれている。
【００２３】
第１の実施形態に係る複合機１の外観全体構成について、図１を参照して説明する。図１は、複合機１の外観構成を示している。図１において、複合機１は、インクジェットプリンタなど公知のプリンタ部２およびフラットベットタイプの公知のスキャナ部３をフレームの下部および上部に備え、操作パネル部４をフレームの前方上面に備えている。タッチパネル５が、操作パネル部４の中央に配置されている。
【００２４】
タッチパネル５には、複合機１の各種の機能を選択するために、多数の入力キーの一部として、ファックスキーと、スキャンキーと、コピーキーとが配置されている。またその他、数字、文字などを入力するために、タッチパネル５には、多数の公知の入力テンキーが配置されている。
【００２５】
図中の符号４０は、入力キーである。入力キー４０は、例えば、複合機１の電源の投入を指示する電源キー等を含むものである。各入力キー４０の操作に応じ、複合機１に対して各種の指示を行うことができる。
【００２６】
複合機１は、内蔵メモリ以外に、外部メモリの情報をも処理することができように構成されている。本実施形態では、外部メモリとして、コンパクトフラッシュ（登録商標）およびＳＤメモリカード（登録商標）が使用可能である。
【００２７】
複合機１は、図１に示すように、操作パネル部４の直ぐ下方に、スロット部３０、３１をそれぞれ備えている。スロット部３０には、上記のコンパクトフラッシュ（登録商標）が装着される。スロット部３１には、上記のＳＤメモリカード（登録商標）が装着される。
【００２８】
複合機１の電気的全体構成について図２を参照して説明する。図２は、複合機１の電気的構成を示すブロック図である。図２において、制御部２０は、複合機１の各種の機能を実行するために統括的に制御処理を行うもので、ＣＰＵ２１、ＲＯＭ２２、ＲＡＭ２３からなるマイクロコンピュータとして構成されている。制御部２０は、バス２５を介してＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）２６に接続されている。プリンタ部２およびスキャナ部３は、ＡＳＩＣ２６に接続されている。入力キー４０は、パネルゲートアレイ（パネルＧＡ）２７を介してＡＳＩＣ２６に接続されている。パネルゲートアレイ（パネルＧＡ）２７は、多数の入力キー４０の各々の操作により、キー信号をＡＳＩＣ２６に入力する動作を制御するものである。ＡＳＩＣ２６は、ＣＰＵ２１からの指令に従い、プリンタ部、スキャナ部などのＡＳＩＣ２６に接続された周辺機器の制御を行う。
【００２９】
タッチパネル５は、透明電極からなるマトリックススイッチ４１と、このスイッチ４１の下方に配設された液晶表示部４２とから構成され、この構成は公知のものである。マトリックススイッチ４１は、タッチ検出部２９を介してＡＳＩＣ２６に接続され、液晶表示部４２は、表示制御部２８を介してＡＳＩＣ２６に接続されている。ユーザがマトリックススイッチ４１上の所望の位置に接触すると、タッチ検出部２９は、該接触された座標位置を検出して位置信号をＡＳＩＣ２６に出力する。マトリックススイッチ４１は、本発明の検出手段の一例である。液晶表示部４２は、本発明の表示手段の一例である。表示制御部２８及びＣＰＵ２１は、本発明の表示制御手段の一例である。
【００３０】
表示制御部２８は、ＣＰＵ２１からの指令に従い、複合機１が実行する機能に関する各種の情報を液晶表示部４２に表示させるために、液晶表示部４２の画面表示を制御するものである。
【００３１】
表示制御部２８は、複合機１が実行中の動作（現動作）に対し、画像読み取り動作に続く次の動作（次動作）を設定可能にするため、後述するように、例えば、図８に図示する画面を液晶表示部４２に表示させる。つまり、表示制御部２８によって、表示画面の右下方に次動作設定キーＫ１が表示される。この次動作設定キーＫ１は、本発明の操作部の一例である。
図２に示すように、スロット部３０、３１及びＵＳＢ端子３２は、ＡＳＩＣ２６に接続されている。
【００３２】
ファクシミリ通信を制御するために、ＮＣＵ（Ｎｅｔｗｏｒｋ Ｃｏｎｔｒｏｌ Ｕｎｉｔ）３３が、ＡＳＩＣ２６に接続されている。送信信号および受信信号の変換を行うＭＯＤＥＭ３４が、ＮＣＵ３３に接続されている。
【００３３】
複合機１が有する各種記憶部の構成を、図３ないし図５を参照して説明する。ＣＰＵ２１は、ＲＯＭ２２に記憶されたプログラムに従って各種の機能を実行するための制御処理を行う。本実施形態では、ＲＯＭ２２が、フラッシュメモリによって構成されている。ＲＯＭ２２は、プログラム記憶部、座標記憶部２２ｂ、動作対応表記憶部２２ｃおよび表示情報記憶部２２ｄを有している。プログラム記憶部は、次動作設定プログラム２２ａを記憶している。
【００３４】
後述するように、次動作設定プログラム２２ａは、複合機１が現在実行している機能に含まれる動作（現動作）によって入力されたデータを用いて、現動作に続く次の動作（次動作）を設定する処理を含む処理（図６、図７、図１５参照。）を実行する。本実施形態では、現動作が、本発明の第１機能の一例である。前記次動作は、本発明の第２機能の一例である。
【００３５】
座標記憶部２２ｂは、上記のマトリックススイッチ４１の座標位置等を記憶している。マトリックススイッチ４１の座標位置は、液晶表示部４２に表示される情報の表示位置に対応している。
動作対応表記憶部２２ｃは、図５に示す動作対応表を記憶している。ここで、動作対応表とは、現在実行中の機能に含まれる動作（現動作）に対して設定可能な次動作を対応付けたものであり、予め動作対応表記憶部２２ｃに登録されている。また、「ＳＣＡＮ画像の読み込み」とは、スキャナ機能に含まれ、スキャナ部３で原稿の画像データを読み込んだ後、ＲＯＭ２２等に記憶させる動作である。また、「ＰＣ  ＳＣＡＮ」とは、スキャナ機能に含まれ、スキャナ部３で原稿の画像データを読み込んだ後、その画像データを複合機１に接続されたＰＣ（図示せず）に送信する動作である。動作対応表記憶部２２ｃは、本発明の第１記憶手段の一例である。
図５に示す現動作はＳＣＡＮ画像の読み込み等、複合機１にデータを入力する処理を含むものである。例えば、現動作としてＳＣＡＮ画像読み込みを実行している場合、このＳＣＡＮ画像読み込みに対して設定可能な次動作はＳＣＡＮ画像の印刷等である。なお、複合機が実行可能な機能に含まれる動作は、図５に示される動作に限られない。例えば、複合機が実行可能な機能に含まれる動作には、スロット部３０、３１に接続された外部の記憶手段に記憶されたデータを取得し、印刷する動作などが含まれる。
【００３６】
表示情報記憶部２２ｄは、複合機１の各機能を実行する際に液晶表示部４２に表示される各種の画像等の表示情報を記憶している。例えば、表示情報記憶部２２ｄは、上記の次動作設定プログラム２２ａを実行する際に、液晶表示部４２に表示する各種の画像、メッセージ及び色彩をそれぞれ表す表示情報を記憶している。
【００３７】
ＲＡＭ２３は、ＣＰＵ２１がプログラム記憶部中の各プログラムを実行する際に演算処理したデータを一時的に記憶する作業領域を有している。
【００３８】
ＲＡＭ２３の実行待ち動作情報記憶部２３ａは、図４に例示するように、上記の次動作設定キーＫ１によって設定された次動作を、動作ＩＤに対応させて記憶している。同一のデータを用いて実行される動作に対しては、同一の動作ＩＤ（ここではＡ）が付される。図４は、次動作としてファクシミリ機能に含まれるＦＡＸ送信動作が設定された例を示している。なお、実行待ち動作情報記憶部２３ａは、本発明の第２記憶手段の一例である。動作ＩＤは、本発明の入力データ識別情報の一例である。
【００３９】
図中の「実行順」は、同一のデータに対して実行される各動作の実行順序を示す。「動作内容」は、各機能に含まれる動作を示す。ここでは、「ＳＣＡＮ」は、スキャナ部３によって原稿の画像を読み取って複合機１に記憶させる動作を示す。「ＦＡＸ送信」は、ＦＡＸ送信動作を示す。
【００４０】
図中の「動作条件」は、各「動作内容」を実行する際の各種の設定条件を示す。ここでは、画像読み取り動作の際の設定条件として、画質及び濃度が設定されている。ＦＡＸ送信動作の際の設定条件としては、送信相手先が設定されている。
【００４１】
図中の「動作状態」は、各「動作内容」の進捗状態を示す。ここでは、画像読み取り動作が実行中であること、ＦＡＸ送信動作が実行されていない（待機中である）ことをそれぞれ示している。
【００４２】
次に、複合機１のＣＰＵ２１等によって実行される処理を、図２ないし図１４を参照しつつ説明する。本実施形態の複合機１は、ユーザによって実行が指示された動作を１つずつ順番に実行する。複合機１では、ユーザによって動作の実行が指示されると、実行待ち動作情報記憶部２３ａに実行順、動作内容、動作条件が記憶される。本実施形態では、図３に示すように、ＳＣＡＮ画像読み込み動作の実行が指示されたとする。続いて、ＣＰＵ２１により、次動作設定プログラム２２ａが読み出される。
【００４３】
複合機１では、ＣＰＵ２１により、データに対し、実行順序が１番目の動作が開始されると（Ｓ１）、ＣＰＵ２１及び表示制御部２８によって、液晶表示部４２には、図８に図示する画面が表示される（Ｓ２）。図示の画面は、現動作実行画面を示す。以下の説明では、図３に図示するように、実行順序が１番目の動作として、画像読み取り動作が開始される。読み取られた画像データは、ＲＡＭ２３のデータ記憶部に記憶される。本実施形態では、ＣＰＵ２１は、本発明の実行手段の一例である。
【００４４】
本実施形態では、現動作実行画面の左側下方には、図柄Ｚ１及び文字「１０％完了」が表示される。図柄Ｚ１は、画像読み取り動作が実行中であることを示す。文字「１０％完了」は、画像読み取り動作の全動作の内の１０％の動作が完了したことを示す。液晶表示部４２は、本発明の進行状況表示手段の一例である。
【００４５】
液晶表示部４２には、ＣＰＵ２１及び表示制御部２８により、文字「画質：写真画質」、文字「濃度」及び濃度判別図形Ｚ２も表示される。上記の実行待ち動作情報記憶部２３ａに記憶された「動作条件」に基づいて、各文字及び濃度判別図形Ｚ２は、液晶表示部４２に表示される。
【００４６】
液晶表示部４２には、ＣＰＵ２１及び表示制御部２８により、次動作設定キーＫ１及びＳＣＡＮ中止キーＫ２が表示される。ユーザによってＳＣＡＮ中止キーＫ２が押されると、画像読み取り動作が中止される。
【００４７】
Ｓ２の処理の後には、ＣＰＵ２１により、次動作の設定要求があるか否かが判断される（Ｓ３）。ここでは、ユーザの指によって、次動作設定キーＫ１が押されたか否かが判断される。本実施形態では、ＣＰＵ２１及びＳ３の処理は、本発明の受付手段の一例である。
【００４８】
図８に図示するように、ＣＰＵ２１により、ユーザによって次動作設定キーＫ１が押されたと判断されると（Ｓ３：ＹＥＳ）、ＣＰＵ２１は、実行待ち動作情報記憶部２３ａに、画像データを保持する処理を実行する（Ｓ４）。Ｓ４の処理は、本発明の禁止手段の一例である。
以下、Ｓ４の処理について説明する。本実施形態では、動作を実行することにより入力されたデータ、又はＲＯＭ２２等に予め記憶されているデータは、ＣＰＵ２１により一時的にＲＡＭ２３に記憶された後、そのデータを用いて動作が実行される。そして、動作を終了するとともに、前記データは消去される。しかしながら、Ｓ４の処理は、そのデータの消去を禁止するので、動作が終了した後であってもデータはＲＡＭ２３に記憶されることになる。
このように、本実施形態では、次動作の設定要求がある場合、現動作に用いたデータをＲＡＭ２３に記憶させたままにしておく。従って、次動作の設定中に現動作の実行が終了しても、現動作に用いたデータを次動作でも用いることができる。よって、次動作を実行するために再度データを入力する手間を省くことができる。
【００４９】
Ｓ４の処理の後には、ＣＰＵ２１及び表示制御部２８により、図９に示すような次動作設定確認画面が表示される（Ｓ５）。ここでは、図９に図示するように、液晶表示部４２に、次動作設定確認キーＫ３、Ｋ４がそれぞれ表示される。加えて、液晶表示部４２には、文字「次動作を設定しますか？」が表示される。
【００５０】
図９に図示するように、液晶表示部４２には、上記の図柄Ｚ１、文字「２０％完了」及びＳＣＡＮ中止キーＫ２が表示される。図柄Ｚ１及び文字「２０％完了」を表示することにより、画像読み取り動作が実行中であることを報知している。
【００５１】
Ｓ５の処理の後に、ＣＰＵ２１により、次動作設定を行うか否かが判断される（Ｓ６）。ここでは、ユーザの指によって次動作設定確認キーＫ３が押されたか否かが判断される。
【００５２】
図９に図示するように、ユーザの指によって次動作設定確認キーＫ３が押されたと判断されると（Ｓ６：ＹＥＳ）、ＣＰＵ２１及び表示制御部２８により、次動作選択画面が表示される（Ｓ７）。ここでは、図１０に図示するように、図５に示す動作対応表に従って、現動作に対して設定可能な次動作が液晶表示部４２に表示される。図１０の例では、液晶表示部４２に、次動作選択メニューＭ１が表示される。図示の例では、次動作選択メニューＭ１には、現動作の「ＳＣＡＮ画像読み込み」に対して設定可能な複数の動作の一部として、「ＳＣＡＮ画像の印刷」、「ＳＣＡＮ画像のＦＡＸ送信」、「ＳＣＡＮ画像のメモリ保存」及び「ＳＣＡＮ倍率を変更して印刷」の文字がそれぞれ表示されている。本実施形態では、「ＳＣＡＮ画像読み込み」動作は、本発明の第１機能の一例である。「ＳＣＡＮ画像の印刷」等の各動作は、本発明の第２機能の一例である。
【００５３】
液晶表示部４２には、設定キーＫ５及び戻るキーＫ６が表示される。加えて、画像表示部４２には、文字「次動作を選択してください」、上記の図柄Ｚ１及び文字「３０％完了」が表示される。
【００５４】
Ｓ７の処理の後には、ＣＰＵ２１により、戻るキーが選択されたか否かが判断される（Ｓ８）。ここでは、ユーザの指により、図示の戻るキーＫ６が押されたか否かが判断される。
【００５５】
戻るキーＫ６が押されていないと判断されると（Ｓ８：ＮＯ）、ＣＰＵ２１により、次動作選択動作が開始される（Ｓ９）。図１０に図示する例では、次動作として、ユーザの指により、次動作選択メニューＭ１の内から「ＳＣＡＮ画像のＦＡＸ送信」が選択される。
【００５６】
Ｓ９の処理の後には、ＣＰＵ２１により、設定キーを選択したか否かが判断される（Ｓ１０）。
【００５７】
図１０に図示するように、ユーザの指により設定キーＫ５が押されると（Ｓ１０：ＹＥＳ）、ＣＰＵ２１により、次動作設定動作が開始される（Ｓ１１）。
【００５８】
Ｓ１１の処理の後には、ＣＰＵ２１及び表示制御部２８により、次動作設定画面が液晶表示部４２に表示される（Ｓ１２）。ここでは、図１１に図示するように、液晶表示部４２に、ＦＡＸ送信先選択メニューＭ２が表示される。図示の例は、ユーザによって、ＦＡＸの送信相手先として「Ｂさん」が選択されたことを示している。ＦＡＸ送信先選択メニューＭ２に表示されているＦＡＸ送信先は、本発明の実行条件の一例である。
【００５９】
液晶表示部４２には、文字「ＦＡＸ送信先」、上記の図柄Ｚ１及び文字「５０％完了」も表示される。
【００６０】
Ｓ１２の処理の後には、ＣＰＵ２１により、次動作設定画面上の戻るキーＫ６が選択された否かが判断される（Ｓ１３）。戻るキーＫ６が選択されない場合（Ｓ１３：ＮＯ）には、ＣＰＵ２１により、次動作設定画面上の設定キーＫ５が選択された否かが判断される（Ｓ１４）。本実施形態では、ＣＰＵ２１及びＳ１４の処理は、本発明の設定手段の一例である。
【００６１】
図１１に図示するように、ＣＰＵ２１により、ユーザによって設定キーＫ５が押されたと判断されると（Ｓ１４：ＹＥＳ）、ＣＰＵ２１及び表示制御部２８により、追加設定確認画面が表示される（Ｓ１５）。追加設定確認画面とは、次動作を実行するための実行条件を追加するか否かを確認するための画面である。ここでは、図１２に図示するように、液晶表示部４２に、追加許可キーＫ７、追加否定キーＫ８がそれぞれ表示される。加えて、液晶表示部４２には、上記の図柄Ｚ１及び文字「６０％完了」が表示される。
【００６２】
Ｓ１５の処理の後には、ＣＰＵ２１により、追加設定があるか否かが判断される（Ｓ１６）。ここでは、ユーザの指により、追加設定確認画面上の追加許可キーＫ７が押されたか否かが判断される。
【００６３】
追加許可キーＫ７が押されていないと判断されると（Ｓ１６：ＮＯ）、ＣＰＵ２１及び表示制御部２８により、最終確認画面が表示される（Ｓ１７）。最終確認画面とは、先の処理でユーザにより選択された動作と実行条件に基づいて、次動作を設定するか否かを確認するための画面である。ここでは、図１３に図示するように、液晶表示部４２に、最終追加許可キーＫ９、最終追加否定キーＫ１０がそれぞれ表示される。
【００６４】
加えて、液晶表示部４２には、文字「ＦＡＸ送信先を設定しました」、ＦＡＸ送信相手先（ここではＢさん）及び文字「この設定でよろしいですか？」がそれぞれ表示される。さらに、液晶表示部４２には、上記の図柄Ｚ１及び文字「７０％完了」が表示される。
【００６５】
Ｓ１７の処理の後には、図７に図示するように、ＣＰＵ２１により、設定が正しいか否かが判断される（Ｓ１８）。ここでは、ユーザの指により、最終確認画面上の最終追加許可キーＫ９が押されたか否かが判断される。
【００６６】
図１３に図示するように、ＣＰＵ２１により、ユーザによって最終追加許可キーＫ９が押されたと判断されると（Ｓ１８：ＹＥＳ）、次動作を記憶する処理（Ｓ１９）が実行される。ここでは、図４に図示したように、ＣＰＵ２１により、実行待ち動作情報記憶部２３ａに、動作ＩＤ「Ａ」に対応させて、「ＦＡＸ送信」を識別する動作内容識別データ及び各「送信相手先」を識別する動作条件識別データがそれぞれ記憶される。
【００６７】
Ｓ１９の処理の後には、ＣＰＵ２１により、次動作の設定が完了したことが確認される（Ｓ２０）。その後、ＣＰＵ２１により、データの保持を解除する処理（Ｓ２１）が実行される。ここでは、上記のＳ４の処理によってＲＡＭ２３に記憶しておくように保持されたデータのデータ保持を解除するので、次動作（ＦＡＸ送信）の実行が終了すると共に、ＲＡＭ２３のデータが消去されることになる。
【００６８】
Ｓ２１の処理の後には、ＣＰＵ２１及び表示制御部２８により、現動作実行画面が表示される（Ｓ２２）と共に次動作取り消しキーＫ１１が表示される（Ｓ２３）。次動作取り消しキーＫ１１とは、設定された次動作を実行待ち動作情報記憶部２３ａから消去させるためのキーである。ここでは、Ｓ２２の処理により、図１４に図示するように、液晶表示部４２に、上記の図柄Ｚ１、文字「８０％完了」及び文字「ＳＣＡＮ実施中」が表示される。
【００６９】
液晶表示部４２には、ＣＰＵ２１及び表示制御部２８によって、図示するように、上記のＳＣＡＮ中止キーＫ２及び次動作追加設定キーＫ１２が表示される。ＳＣＡＮ中止キーＫ２は、現在実行している「ＳＣＡＮ画像読み込み」動作を中止させるためのキーである。次動作追加設定キーＫ１２は、現在実行している「ＳＣＡＮ画像読み込み」動作に対してさらに次動作を設定するためのキーである。加えて、液晶表示部４２では、現動作（画像読み取り動作）が終了した後に次動作（ＦＡＸ送信）が行われることを報知する。ここでは、液晶表示部４２に、文字「次動作設定内容」、文字「内容：ＳＣＡＮ画像ＦＡＸ送信」及び送信相手先（ここではＢさん）がそれぞれ表示される。
【００７０】
Ｓ２３の処理の後には、ＣＰＵ２１により、次動作取り消しキーが押されたか否かが判断される（Ｓ２４）。ここでは、ユーザの指により、上記の次動作取り消しキーＫ１１が押されたか否かが判断される。
【００７１】
ユーザの指によって次動作取り消しキーＫ１１が押されていないと判断されると（Ｓ２４：ＮＯ）、ＣＰＵ２１により、追加で設定をするか否かが判断される（Ｓ２５）。ここでは、ユーザの指により、上記の次動作追加設定キーＫ１２が押されたか否かが判断される。
【００７２】
次動作追加設定キーＫ１２が押されていないと判断されると（Ｓ２５：ＮＯ）、ＣＰＵ２１により、現動作終了判定が開始される（Ｓ２６）。ここでは、ＣＰＵ２１により、画像読み取り動作の全動作の進行状況が確認される。
【００７３】
Ｓ２６の処理の後には、ＣＰＵ２１により、現動作が完了したか否かが判断される（Ｓ２７）。ここでは、画像読み取り動作の全動作が行われた否かが判断される。
【００７４】
画像読み取り動作の全動作が行われると（Ｓ２７：ＹＥＳ）、ＣＰＵ２１により、次動作の設定があるか否かが判断される（Ｓ２８）。ここでは、ＣＰＵ２１により、実行待ち動作情報記憶部２３ａに上記の動作内容識別データ及び上記の動作条件識別データが記憶されているか否かが判断される。
【００７５】
実行待ち動作情報記憶部２３ａに上記の動作内容識別データ及び上記の動作条件識別データが記憶されていると判断されると（Ｓ２８：ＹＥＳ）、動作内容識別データ及び動作条件識別データに基づいて、ＣＰＵ２１が、次動作を開始する（Ｓ２９）。すなわち、次動作として設定された動作が現動作として実行される（Ｓ１）。ここでは、「ＦＡＸ送信」を識別する動作内容識別データ及び各「送信相手先」を識別する動作条件識別データに基づき、先のＳＣＡＮ画像読み取り動作によって入力されたＳＣＡＮ画像データのＦＡＸ送信が実行される。
【００７６】
上記のＳ３の処理において、ＣＰＵ２１により、ユーザによって次動作設定キーＫ１が押されていないと判断されると（Ｓ３：ＮＯ）、上記のＳ２の処理に戻る。上記Ｓ６の処理において、ユーザの指によって次動作設定確認キーＫ３が押されていないと判断されると（Ｓ６：ＮＯ）、次動作設定が中止される（Ｓ３１）と共に、現動作のデータの保持が解除される（Ｓ３２）。
【００７７】
上記のＳ８の処理において、ＣＰＵ２１により、ユーザの指によって戻るキーＫ６が押されたと判断されると（Ｓ８：ＹＥＳ）、上記のＳ５の処理に戻る。上記のＳ１０の処理において、ユーザの指により設定キーＫ５が押されていないと判断されると（Ｓ１０：ＮＯ）、上記のＳ９の処理に戻る。
【００７８】
上記のＳ１３の処理において、ＣＰＵ２１により、ユーザの指によって戻るキーＫ６が選択されたと判断された場合（Ｓ１３：ＹＥＳ）には、上記のＳ７の処理に戻る。上記のＳ１４の処理において、ＣＰＵ２１により、ユーザによって設定キーＫ５が押されていないと判断されると（Ｓ１４：ＮＯ）、上記のＳ１２の処理に戻る。
【００７９】
上記のＳ１６の処理において、ＣＰＵ２１により、追加設定があると判断されると（Ｓ１６：ＹＥＳ）、上記のＳ１２の処理に戻る。上記のＳ１８の処理によって、ＣＰＵ２１により、ユーザによって最終追加許可キーＫ９が押されていないと判断されると（Ｓ１８：ＮＯ）、上記のＳ７の処理に戻る。
【００８０】
上記のＳ２４の処理において、ＣＰＵ２１により、次動作取り消しキーＫ１１が押されたと判断されると（Ｓ２４：ＹＥＳ）、次動作設定が取り消される（Ｓ３３）。ここでは、ＣＰＵ２１により、実行待ち動作情報記憶部２３ａから、前記動作内容識別データ（ＦＡＸ送信）及び前記動作条件識別データ（送信先：Ｂさん）がそれぞれ消去される。Ｓ３３の処理の後には、上記のＳ２の処理に戻る。本実施形態では、Ｓ２４及びＳ３３の各処理は、本発明の取消手段の一例である。
【００８１】
上記のＳ２５の処理において、ＣＰＵ２１により、ユーザによって次動作追加設定キーＫ１２が押されたと判断されると（Ｓ２５：ＹＥＳ）、上記のＳ４の処理に戻る。
【００８２】
上記のＳ２７の処理において、ＣＰＵ２１により、画像読み取り動作の全動作が行われていないと判断されると（Ｓ２７：ＮＯ）、上記のＳ２６の処理に戻る。上記のＳ２８の処理において、ＣＰＵ２１により、実行待ち動作情報記憶部２３ａに上記の動作内容識別データ及び上記の動作条件識別データが記憶されていないと判断されると（Ｓ２８：ＮＯ）、ＣＰＵ２１により、ＲＡＭ２３に記憶されているデータが消去された後、現動作を終了させる（Ｓ３４）。ここでは、画像読み取り動作が完了する。Ｓ３４は本発明の消去手段の一例である。
【００８３】
＜第１の実施形態の効果＞
本実施形態の複合機１では、ＣＰＵ２１によって、ＳＣＡＮ画像読み取り動作の実行中に、上記のＳ３の処理（図６参照。）により、動作対応表記億部２２ｃに記憶されている動作対応表（図５参照。）に基づいて、ＲＡＭ２３（データ記憶部）に記憶される読み取り画像データを用いた次動作（「ＳＣＡＮ画像のＦＡＸ送信」の動作等）の設定要求があるか否かが判断される。
本実施形態の複合機１では、上記のＳ３の処理によって、上記の読み取り画像データに対し、上記の「ＳＣＡＮ画像のＦＡＸ送信」の動作等の設定要求があるか否かが判断されるため、「ＳＣＡＮ画像のＦＡＸ送信」等の動作を実行するために、「ＳＣＡＮ画像のＦＡＸ送信」等の動作に用いる画像データを、再度読み取ることを必要としない。
したがって、本実施形態の複合機１では、上記のＳ３の処理によって、ユーザが望む動作であって上記の読み取り画像データを用いて実行する「ＳＣＡＮ画像のＦＡＸ送信」の動作等の設定要求を判断することができる。
【００８４】
本実施形態の複合機１では、上記のＳ２７の処理（図７参照。）により、ＳＣＡＮ画像読み取り動作の全動作が行われたか否かが判断される。Ｓ２７の処理により、ＳＣＡＮ画像読み取り動作の全動作が行われたと判断されると、上記のＳ２９の処理（図７参照。）により、「ＳＣＡＮ画像のＦＡＸ送信」の動作を実行する。
そこで、本実施形態の複合機１では、ＳＣＡＮ画像読み取り動作に引き続き「ＳＣＡＮ画像のＦＡＸ送信」の動作を実行することができるため、ユーザが望む動作を、上記の読み取り画像データを用いて実行する動作として追加し、実行することができる。
【００８５】
本実施形態の複合機１では、実行待ち動作情報記憶部２３ａは、動作ＩＤに対応させて、上記のＳ３の処理によって設定要求がされたと判断された「ＦＡＸ送信」の動作を記憶する。
そこで、本実施形態での複合機１では、動作ＩＤに対応させて、実行待ち動作情報記憶部２３ａが、「ＦＡＸ送信」の動作を記憶すると、一の読み取り画像データを対象としたＳＣＡＮ画像読み取り動作の実行が終了した後に、実行待ち動作情報記憶部２３ａの記憶内容に基づいて、一の読み取り画像データに対し、「ＦＡＸ送信」の動作を実行させることが可能となる。
【００８６】
本実施形態の複合機１では、実行待ち動作情報記憶部２３ａは、「ＦＡＸ送信」動作に対応させて、ＦＡＸ送信相手先（ここではＢさん、図４参照。）を記憶する。
本実施形態の複合機１では、上記のＳ１４の処理（図６参照。）により、上記のＳ３の処理によって設定要求があったと判断された「ＦＡＸ送信」動作のＦＡＸ送信先（図１１参照。）を設定すると、「ＦＡＸ送信」の動作の設定要求と共に、すみやかに、ＦＡＸ送信先を設定することができる。
本実施形態の複合機１では、「ＦＡＸ送信」の動作を実行する際には、ＦＡＸ送信相手先（Ｂさん）に対し、画像データの「ＦＡＸ送信」動作を開始させるように設定することができる。
【００８７】
本実施形態の複合機１では、上記のＳ３の処理によって、「ＳＣＡＮ画像のＦＡＸ送信」の動作等の設定要求があると判断されると、上記のＳ４の処理（図６参照。）により、「ＦＡＸ送信」動作に用いられるＲＡＭ２３に記憶されたデータ（例えば、読み取り画像データ）の消去を禁止することができる。
そこで、本実施形態の複合機１では、ＲＡＭ２３に記憶されたデータが消去されないため、「ＦＡＸ送信」動作を実行するために、ＳＣＡＮ画像読み取り動作によって入力されたデータと同一のデータを、再度入力させる手間を省くことができる。
【００８８】
本実施形態の複合機１では、上記のＳ２４、Ｓ３３の各処理（図７参照。）により、実行待ち動作情報記憶部２３ａから、「ＦＡＸ送信」等の動作を消去することができる。
そこで、本実施形態の複合機１では、上記のＳ３の処理により、ユーザが意図していなかった動作（「ＦＡＸ送信」等の動作）の設定要求があったことを判断した場合であっても、Ｓ２４及びＳ３３の各処理によって、ユーザが意図していなかった動作を消去することができる。
【００８９】
本実施形態の複合機１では、図８に図示するように、ＳＣＡＮ画像読み取り動作の実行中に、液晶表示部４２に、次動作設定キーＫ１が表示される。複合機１では、ＳＣＡＮ画像読み取り動作の実行中に、マトリックススイッチ４１により、次動作設定キーＫ１が押されたと判断されると、上記のＳ３の処理（図６参照。）によって、「ＳＣＡＮ画像のＦＡＸ送信」の動作等の設定要求があるか否かが判断される。
そこで、本実施形態の複合機１では、ＳＣＡＮ画像読み取り動作の実行中に、液晶表示部４２に、次動作設定キーＫ１が表示されると共に、次動作設定キーＫ１が押された否かが判断される。
液晶表示部４２に、次動作設定キーＫ１が表示されることより、ユーザは、目視によって次動作設定キーＫ１を容易に確認することができる。また、ユーザは、次動作設定キーＫ１を押すことにより、速やかに「ＳＣＡＮ画像のＦＡＸ送信」の動作等の設定要求を行うことができる。
【００９０】
本実施形態の複合機１では、ＳＣＡＮ画像読み取り動作の実行中に、液晶表示部４２は、図８に例示するように、画像読み取り動作の全動作の内の１０％の動作が完了したことを表示する。
そこで、本実施形態の複合機１では、液晶表示部４２には、画像読み取り動作の全動作の内の１０％の動作が完了したことを表示するため、ユーザは、画像読み取り動作が実行中であることを確認しながら、「ＳＣＡＮ画像のＦＡＸ送信」の動作等の設定要求を行なうことが可能となる。
【００９１】
＜第２の実施形態＞
本発明の画像処理装置を複合機に適用した第２の実施形態について、図１５ないし図１８を参照しつつ説明する。ここでは、第１の実施形態と同一の構成や同一の処理については同一の符号を付し、その説明を省略する。
【００９２】
第１の実施形態と同様に、図１５に図示するように、ユーザによって次動作設定キーＫ１が押されたと判断されると（Ｓ３：ＹＥＳ）、ＣＰＵ２１により、実行待ち動作情報記憶部２３ａに、データを保持する処理が実行される（Ｓ４）。
【００９３】
第１の実施形態と同様に、ユーザの指によって次動作設定キーＫ３が押されたと判断されると（Ｓ６：ＹＥＳ）、ＣＰＵ２１により実行待ちの動作に続く次の動作（次動作）を追加するか否かが判断される（Ｓ４１）。ここでは、図１６に図示するように、液晶表示部４２に、実行待ち動作追加確認画面が表示される。
【００９４】
液晶表示部４２には、実行待ち動作追加許可キーＫ２１、実行待ち動作追加否定キーＫ２２がそれぞれ表示される。加えて、液晶表示部４２には、文字「実行待ち動作に対して次動作を追加しますか？」が表示される。ここでは、実行待ち動作とは、第１の実施形態に基づいて設定された未実行の次動作を示す。
【００９５】
図１６に図示するように、ＣＰＵ２１により、ユーザの指によって実行待ち動作追加確認画面上の実行待ち動作追加許可キーＫ２１が押されたと判断されると（Ｓ４１：ＹＥＳ）、実行待ち動作情報記憶部２３ａに記憶された上記の実行待ち動作内容識別データに基づいて、ＣＰＵ２１及び表示制御部２８により、実行待ち動作選択画面が表示される（Ｓ４２）。
【００９６】
ここでは、図１７に図示するように、液晶表示部４２に、実行待ち動作選択メニューＭ１１が表示される。図示の例では、実行待ち動作選択メニューＭ１１には、選択可能な動作として、「コピー」、「ＦＡＸ送信」、「ＰＣへ送信」の文字がそれぞれ表示される。これらは、現動作の「ＳＣＡＮ画像読み込み」動作に対して設定された次動作である。液晶表示部４２には、文字「どの動作内容の設定を行いますか？」が表示される。図示の例は、ユーザによって、前記メニューＭ１１からＦＡＸ送信が選択されたことを示している。
【００９７】
Ｓ４２の処理の後には、ＣＰＵ２１によって、ユーザが戻るキーＫ６（図１７参照。）を押したか否かが判断される（Ｓ４３）。戻るキーＫ６が押されていない場合には（Ｓ４３：ＮＯ）、ＣＰＵ２１により、ユーザの選択が正しいか否かが判断される（Ｓ４４）。ここでは、ユーザによって設定キーＫ５が押されたか否かが判断される。
【００９８】
図１７に図示するように、ＣＰＵ２１により、ユーザによって設定キーＫ５が押されたと判断されると（Ｓ４４：ＹＥＳ）、ＣＰＵ２１及び表示制御部２８により、次動作選択画面が表示される（Ｓ４５）。
【００９９】
ここでは、図１８に図示するように、液晶表示部４２に、図５の動作対応表に従って、次動作選択メニューＭ１２が表示される。本実施形態では、動作対応表の「現動作の動作内容」に代えて「実行待ち動作の動作内容」を示す欄と、「現動作の後に実行する動作内容」の代わりに「実行待ち動作の後に実行する動作内容」欄を有する。各欄の内容は同じである。従って、実行待ち動作に対して設定可能な動作が対応付けられている。図１８の例では、次動作選択メニューＭ１２には、「ＦＡＸ送信」対して設定可能な動作の一部として、「別の指定先にＦＡＸ送信」、「送信履歴の印刷」、「指定先へ電話を掛ける」、「読み込んだ画像を印刷」の文字がそれぞれ表示される。加えて、液晶表示部４２には、文字「実行待ち動作の後に実行する動作を選択してください」が表示される。
【０１００】
Ｓ４５の処理の後には、ＣＰＵ２１により、ユーザによって次動作選択画面上の戻るキーＫ６が選択されたか否かが判断される（Ｓ４６）。戻るキーＫ６が押されていないと判断された場合には（Ｓ４６：ＮＯ）、ＣＰＵ２１及び表示制御部２８によって、次動作選択メニューＭ１２から選択された動作（ここでは、「別の指定先にＦＡＸ送信」）がハイライト表示される（Ｓ４７）。
【０１０１】
Ｓ４７の処理の後には、ＣＰＵ２１により、ユーザの選択が正しいか否かが判断される（Ｓ４８）。ここでは、ユーザによって、次動作選択画面上の設定キーＫ５が押されたか否かが判断される。
【０１０２】
図１８に図示するように、ＣＰＵ２１により、ユーザによって設定キーＫ５が押されたと判断されると（Ｓ４８：ＹＥＳ）、第１の実施形態と同様の各処理（Ｓ１１〜Ｓ２９、Ｓ３１〜Ｓ３４）が実行される。ただし、Ｓ１８の処理で、最終確認画面においてＣＰＵ２１により設定が正しくないと判断された場合（Ｓ１８：ＮＯ）、Ｓ４５の処理に戻る。
【０１０３】
上記のＳ４１の処理において、ＣＰＵ２１により、ユーザによって実行待ち動作追加許可キーＫ２１が押されていないと判断されると、第１の実施形態におけるＳ７以降の処理（図６及び図７参照。）が実行される。上記のＳ４３の処理において、ユーザにより戻るキーＫ６が押されたと判断されると（Ｓ４３：ＹＥＳ）、上記のＳ５の処理に戻る。
【０１０４】
上記のＳ４４の処理において、ＣＰＵ２１により、ユーザによって設定キーＫ５が押されていないと判断されると（Ｓ４４：ＮＯ）、上記のＳ４２の処理に戻る。上記のＳ４６の処理において、ＣＰＵ２１により、戻るキーＫ６が押されたと判断されると（Ｓ４６：ＹＥＳ）、上記のＳ５の処理に戻る。
【０１０５】
上記のＳ４８の処理において、ＣＰＵ２１により、ユーザによって設定キーＫ５が押されていないと判断されると（Ｓ４８：ＮＯ）、上記のＳ４７の処理に戻る。
【０１０６】
＜第２の実施形態の効果＞
本実施形態の複合機１では、ＣＰＵ２１によって、ＳＣＡＮ画像読み取り動作の実行中に、上記のＳ４１の処理（図１５参照。）により、動作対応表記憶部２２ｃの動作対応表の実行待ち動作の動作内容に基づいて、ＲＡＭ２３（データ記憶部）に記憶される読み取り画像データを用いた「ＦＡＸ送信」等の動作の追加要求があるか否かが判断される。
本実施形態の複合機１では、上記のＳ４１の処理によって、上記の読み取り画像データに対し、上記の「ＦＡＸ送信」等の動作の追加要求があるか否かが判断されるため、「ＦＡＸ送信」等の動作を実行するために、「ＦＡＸ送信」等の動作に用いる画像データを、再度読み取ることを必要としない。
したがって、本実施形態の複合機１では、上記のＳ４１の処理によって、ユーザが望む動作であって上記の読み取り画像データを用いて実行する「ＦＡＸ送信」等の動作の追加要求を判断することができる。
【０１０７】
＜変形例＞
本発明は、上述した実施形態に限定されるものではなく、発明の趣旨を逸脱しない範囲内において構成の一部を適宜変更して実施することができる。例えば、第１及び第２の実施形態のおける複合機１を、独立して複数の動作を実行するマルチファンクション型複合機としてもよい。マルチファンクション型複合機は、本発明のマルチファンクション装置の一例である。
【０１０８】
複合機１がマルチファンクション型複合機である場合には、図１７に代えて、例えば、図１９に図示する画面を表示してもよい。また、現動作として複合機１が「ＳＣＡＮ画像読み込み」と「ＦＡＸ受信」を実行している場合、図柄Ｚ１として、「ＳＣＡＮ画像読み込み」を示す画像と「ＦＡＸ受信」を示す画像とを所定のタイミングで交互に表示してもよい。また、液晶表示部４２に、実行待ち動作選択メニューＭ１１Ａを表示してもよい。ここでは、異なるデータ毎に、異なる動作ＩＤ（ここでは、Ａ及びＢ）を付している。
例えば、「ＳＣＡＮ画像読み込み」によって読み込まれた画像データを用いる動作ＩＤをＡ、「ＦＡＸ受信」によって受信された画像データを用いる動作ＩＤをＢとする。図１９に図示する実行待ち動作選択メニューＭ１１Ａの「コピー」、「ＦＡＸ送信」はＳＣＡＮ画像データを用いた動作であり、「ＰＣへ送信」は、ＦＡＸ受信の受信画像データを用いた動作であることを示している。
【０１０９】
マルチファンクション型複合機では、異なるデータ毎に、次動作が設定可能である。マルチファンクション型複合機では、図４に図示した場合と同様に、上記の次動作設定キーＫ１によって設定された次動作を、動作ＩＤ（Ａ及びＢ）に対応させて、上記の実行待ち動作情報記憶部２３ａに記憶している。
【０１１０】
マルチファンクション型複合機では、図１９に図示する場合と同様に、上記の次動作設定キーＫ１と同様のキーを用い、動作ＩＤに対応させた実行待ち動作（次動作）に対する次動作を設定することができる。
このように、第３の実施形態のマルチファンクション型複合機では、現動作である「ＳＣＡＮ画像読み込み」及び「ＦＡＸ受信」により入力された画像データを用いた次動作を設定可能であるとともに、動作ＩＤ「Ａ」及び「Ｂ」が付されたデータを用いた次動作（実行待ち動作）に対し、さらに動作を設定可能である。
【図面の簡単な説明】
【０１１１】
【図１】第１の実施形態の複合機の全体斜視図である。
【図２】同複合機の電気的構成を示すブロック図である。
【図３】実行順序が１番目の動作として画像読み取り動作が設定された同複合機の動作対応表記憶部の記憶テーブルの内容を示す図である。
【図４】実行順序が２番目の動作としてＦＡＸ送信動作が設定された同複合機のＲＡＭの記憶テーブルの内容を示す図である。
【図５】現動作及び現動作の後に実行する動作内容が設定された同複合機のＲＡＭの記憶テーブルの内容を示す図である。
【図６】同複合機によって実行される処理を示す第１フローチャートである。
【図７】その第２フローフローチャートである。
【図８】液晶表示部における現動作実行画面の表示例である。
【図９】液晶表示部における次動作設定確認画面の表示例である。
【図１０】液晶表示部における次動作選択画面の第１表示例である。
【図１１】液晶表示部における次動作設定画面の表示例である。
【図１２】液晶表示部における追加設定確認画面の表示例である。
【図１３】液晶表示部における最終確認画面の表示例である。
【図１４】液晶表示部における現動作実行画面の表示例である。
【図１５】第２の実施形態の複合機によって実行される処理を示す第１フローチャートである。
【図１６】液晶表示部における実行待ち動作追加確認画面の表示例である。
【図１７】液晶表示部における実行待ち動作選択画面の表示例である。
【図１８】液晶表示部における次動作選択画面の第２表示例である。
【図１９】変形例のマルチファンクション型複合機の液晶表示部における実行待ち動作選択画面の表示例である。
【符号の説明】
【０１１２】
１      複合機
２１    ＣＰＵ
２２ｃ  動作対応表記憶部
２３ａ  実行動作待ち動作情報記憶部
２８    表示制御部
４２    液晶表示部
Ｋ１    動作設定キー
【図１】
0005034974.tif 000002
【図２】
0005034974.tif 000003
【図３】
0005034974.tif 000004
【図４】
0005034974.tif 000005
【図５】
0005034974.tif 000006
【図６】
0005034974.tif 000007
【図７】
0005034974.tif 000008
【図８】
0005034974.tif 000009
【図９】
0005034974.tif 000010
【図１０】
0005034974.tif 000011
【図１１】
0005034974.tif 000012
【図１２】
0005034974.tif 000013
【図１３】
0005034974.tif 000014
【図１４】
0005034974.tif 000015
【図１５】
0005034974.tif 000016
【図１６】
0005034974.tif 000017
【図１７】
0005034974.tif 000018
【図１８】
0005034974.tif 000019
【図１９】
0005034974.tif 000020